(57)【要約】【課題】携帯電話などの電源の充電用として、使用する人の歩行や動作などによる振動で発電する簡易発電機を提供する。【解決手段】ケース１内に、動力部、各種歯車及び発電部１６を設けて成り、立設した上記ケース１内において、上記動力部として、外部から伝わる振動により作用する動力部を設け、当該動力部と一方向回転の回転歯車３を噛み合わせて設け、当該回転歯車３と一方向回転の駆動遊走歯車４を噛み合わせて設け、当該駆動遊走歯車４とぜんまい５ａを設けた双方向回転のぜんまい歯車５を噛み合わせて設け、当該ぜんまい歯車５と当該ぜんまい歯車５の逆回転にのみ噛み合って回転する発電遊走歯車１４を設け、当該発電遊走歯車１４と上記発電部１６の回転軸１５ａと同軸に設けた一方向回転の発電歯車１５を噛み合わせて設け、上記駆動遊走歯車４及び発電遊走歯車１４は、噛み合った他の歯車とは開放自在に設けた。【選択図】図１
2004239244.tif 000002
【特許請求の範囲】
【請求項１】
ケース内に、動力部、各種歯車及び発電部を設けて成り、立設した上記ケース内において、
上記動力部として、外部から伝わる振動により作用する動力部を設け、当該動力部と一方向回転の回転歯車を噛み合わせて設け、当該回転歯車と一方向回転の駆動遊走歯車を噛み合わせて又は同軸に設け、当該駆動遊走歯車とぜんまいを設けた双方向回転のぜんまい歯車を噛み合わせて設け、当該ぜんまい歯車と当該ぜんまい歯車の逆回転にのみ噛み合って回転する発電遊走歯車を設け、当該発電遊走歯車と上記発電部の回転軸と同軸に設けた一方向回転の発電歯車を噛み合わせて設け、上記駆動遊走歯車及び発電遊走歯車は、噛み合った他の歯車とは開放自在に設け、
ケースに伝わる外部からの振動により上記動力部を作動させて、上記回転歯車を回転させ、当該回転歯車の回転により上記駆動遊走歯車を回転させ、当該駆動遊走歯車の回転により上記ぜんまい歯車を回転させ、当該ぜんまい歯車の回転により当該ぜんまい歯車に設けたぜんまいを巻き、当該ぜんまいがいっぱいに巻かれた際、上記駆動遊走歯車の、当該ぜんまい歯車及び上記回転歯車との噛み合わせが開放されて、巻かれて力を蓄えたぜんまいによりぜんまい歯車を逆回転させ、
当該ぜんまい歯車の逆回転により上記発電遊走歯車を回転させ、当該発電遊走歯車の回転により上記発電歯車を回転させ、当該発電歯車の回転により上記発電部の回転軸を回転させて発電し、ぜんまいの回転する力が消耗し、上記ぜんまい歯車の逆回転が停止した際、上記発電遊走歯車が噛み合っていた上記発電歯車から開放され、同時に上記駆動遊走歯車は、上記回転歯車及びぜんまい歯車と噛み合い、再度上記動力部による回転を上記ぜんまい歯車に伝達することを特徴とした、簡易発電機。
【請求項２】
ケース内に、動力部、各種歯車及び発電部を設けて成り、立設した上記ケース内において、
上記動力部として、一端に振り子部を設け、他端に略コ字型で歯車の歯部を係止自在な係止部を設けた一定幅振幅運動自在な杆体を上記振り子部を下にして垂直に軸支し、
当該杆体の係止部により歯部が係止されて一方向回転する回転歯車を垂直に軸支し、当該回転歯車と噛み合って又は同軸で一方回転する駆動遊走歯車を設け、ぜんまいの一端を自体に固着し、他端を上記ケースの内壁に固着して一定数回転すると逆回転するぜんまいを備えたぜんまい歯車を設け、
当該ぜんまい歯車に対して、上記駆動遊走歯車を、当該駆動遊走歯車の回転軸を一定距離移動させることにより噛み合わせ又は開放自在に設け、
上記ぜんまい歯車の回転軸の一側に、外周に螺旋状の溝を穿った一定長の筒体を当該ぜんまい歯車と一体に設け、当該筒体を介して上記ぜんまい歯車を、突起を設けた水平軸により軸支し、当該ぜんまい歯車は上記突起を設けた水平軸上を上記螺旋状の溝を穿った筒体を介して回転することにより、当該水平軸上を往復移動自在に設け、
当該ぜんまい歯車の他側面に引き上げ突起を設け、上記水平軸上であって、当該ぜんまい歯車の他側に当該ぜんまい歯車とは別に、通常は下方に位置するハンマーを回転自在に設け、
上記水平軸上に、当該ぜんまい歯車と一体に設けた筒体に隣接して小板体を軸支して設け、
上記水平軸上に、当該ぜんまい歯車に動力がかかっていない時に、付勢により当該ぜんまい歯車と小板体を移動させて当該ぜんまい歯車がぜんまいを巻き始める位置に移動するばねを当該ぜんまい歯車と小板体を挟んでこれらの前後に設け、
上記小板体に、一端を固着し、他端を上記駆動遊走歯車の回転軸に固着した線状体を緊張して設け、
上記水平軸に回転自在にハンマーが落下する下方の軌道上の位置に、通常はばねにより一方向に付勢されている一定幅正逆回転自在な略Ｌ型の回転板を設け、当該回転板の他端には作用棒の一端を固着し、作用棒の他端は上記駆動遊走歯車の回転軸に固着して設け、
上記ぜんまい歯車の逆回転にのみ噛み合って回転する、略上下方向に一定距離往復移動して当該ぜんまい歯車と噛み合わせ又は開放自在な発電遊走歯車を設け、
当該発電遊走歯車に噛み合うフライホイールを備えた一方向回転する発電歯車を設け、当該発電歯車に対して、上記発電遊走歯車を自体の往復移動により噛み合わせ又は開放自在に軸支し、上記発電歯車と同軸の発電部を設け、
上記ケースに伝わる外部からの振動により、上記杆体の振り子部を振幅運動させ、当該杆体の振り子部の振幅運動により当該杆体の係止部を振幅運動させ、当該杆体の振幅運動する係止部により上記一方向回転歯車をその歯部を順次係止して回転させ、当該一方向回転歯車の回転により上記駆動遊走歯車を回転させ、当該駆動遊走歯車の回転により上記ぜんまい歯車を回転させ、当該ぜんまい歯車の回転により当該ぜんまい歯車のぜんまいを巻き、この時上記発電遊走歯車には、当該ぜんまい歯車の回転により、上記発電歯車を下方から引き上げる回転がかかるが、当該発電歯車は上方へ移動して回転が伝わらず、
上記回転するぜんまい歯車に設けた引き上げ突起により上記ハンマーを係止して引き上げ、当該ハンマーを回転軌道の頂部まで上げた後、ハンマー自体の自重により上記回転板の一端に落下させて当該回転板を回転させ、当該回転板の回転により上記作用棒を押して上記駆動遊走歯車の回転軸を移動させて、上記ぜんまい歯車を当該駆動遊走歯車及び上記一方向回転歯車との噛み合わせから開放し、当該ぜんまい歯車の駆動遊走歯車からの噛み合わせの開放により、巻かれて力を蓄えたぜんまいによりぜんまい歯車を逆回転させ、
当該ぜんまい歯車の逆回転により上記発電遊走歯車を一方向に回転させ、当該発電遊走歯車の回転により上記発電歯車を回転させ、当該発電歯車の回転により上記発電部の回転軸を回転させて発電し、
上記ぜんまい歯車のぜんまいの力が消耗し、当該ぜんまい歯車の回転が停止した際は、フライホイールを備えた発電歯車の惰性の回転により上記発電遊走歯車に回転がかけられて当該発電遊走歯車は上方へ移動し、
上記水平軸に設けられた上記ぜんまい歯車と小板体を挟む前後のばねの付勢のバランスにより、当該ぜんまい歯車と小板体を、当該ぜんまい歯車がぜんまいを巻き始める位置に戻し、水平軸上の小板体が当該位置に戻ったので、この小板体に緊張してその一端が固着された線条体が引っ張られて、駆動遊走歯車の回転軸を引っ張って元に戻し、駆動遊走歯車を、ぜんまい歯車及び一方向回転歯車と噛み合う位置に戻すものとし、これらの作用により発電を行うことを特徴とした、簡易発電機。
【請求項３】
ケース内に、動力部、各種歯車及び発電部を設けて成り、立設した上記ケース内において、
上記動力部として、一端に振り子部を設け、他端に略コ字型で歯車の歯部を係止自在な係止部を設けた一定幅振幅運動自在な杆体を上記振り子部を下にして垂直に軸支し、
当該杆体の係止部により歯部が係止されて一方向回転する回転歯車を垂直に軸支し、当該回転歯車と噛み合って又は同軸で一方回転する駆動遊走歯車を設け、ぜんまいの一端を自体に固着し、他端を上記ケースの内壁に固着して一定数回転すると逆回転するぜんまいを備えたぜんまい歯車を設け、
当該ぜんまい歯車に対して、上記駆動遊走歯車を、当該駆動遊走歯車の回転軸を一定距離移動させることにより噛み合わせ又は開放自在に設け、
上記ぜんまい歯車の回転軸の一側に、外周に螺旋状の溝を穿った一定長の筒体を当該ぜんまい歯車と一体に設け、当該筒体を介して上記ぜんまい歯車を、突起を設けた水平軸により軸支し、当該ぜんまい歯車は上記突起を設けた水平軸上を上記螺旋状の溝を穿った筒体を介して回転することにより、当該水平軸上を往復移動自在に設け、
当該ぜんまい歯車の他側面に引き上げ突起を設け、上記ケース内において上記引き上げ突起を設けた側の内壁に板ばねの一端を固定して可弾自在に設け、
上記水平軸上に、当該ぜんまい歯車と一体に設けた筒体に隣接して小板体を軸支して設け、
上記水平軸上に、当該ぜんまい歯車に動力がかかっていない時に、付勢により当該ぜんまい歯車と小板体を移動させて当該ぜんまい歯車がぜんまいを巻き始める位置に移動するばねを当該ぜんまい歯車と小板体を挟んでこれらの前後に設け、
上記小板体に、一端を固着し、他端を上記駆動遊走歯車の回転軸に固着した線状体を緊張して設け、
上記駆動遊走歯車の回転軸に作用棒の一端を固着し、当該作用棒の他端は上記板ばねが弾んで接触する位置に設置し、
上記ぜんまい歯車の逆回転にのみ噛み合って回転する、略上下方向に一定距離往復移動して当該ぜんまい歯車と噛み合わせ又は開放自在な発電遊走歯車を設け、
当該発電遊走歯車に噛み合うフライホイールを備えた一方向回転する発電歯車を設け、当該発電歯車に対して、上記発電遊走歯車を自体の往復移動により噛み合わせ又は開放自在に軸支し、上記発電歯車と同軸の発電部を設け、
上記ケースに伝わる外部からの振動により、上記杆体の振り子部を振幅運動させ、当該杆体の振り子部の振幅運動により当該杆体の係止部を振幅運動させ、当該杆体の振幅運動する係止部により上記一方向回転歯車をその歯部を順次係止して回転させ、当該一方向回転歯車の回転により上記駆動遊走歯車を回転させ、当該駆動遊走歯車の回転により上記ぜんまい歯車を回転させ、当該ぜんまい歯車の回転により当該ぜんまい歯車のぜんまいを巻き、この時上記発電遊走歯車には、当該ぜんまい歯車の回転により、上記発電歯車を下方から引き上げる回転がかかるが、当該発電歯車は上方へ移動して回転が伝わらず、
上記回転するぜんまい歯車に設けた引き上げ突起により上記板ばねを押圧して反らせて力をため、当該引き上げ突起が板ばねを離れた後板ばねが定位置に戻ろうとする弾性の力により上記作用棒を押して上記駆動遊走歯車の回転軸を移動させて、上記ぜんまい歯車を当該駆動遊走歯車及び上記一方向回転歯車との噛み合わせから開放し、当該ぜんまい歯車の駆動遊走歯車からの噛み合わせの開放により、巻かれて力を蓄えたぜんまいによりぜんまい歯車を逆回転させ、
当該ぜんまい歯車の逆回転により上記発電遊走歯車を一方向に回転させ、当該発電遊走歯車の回転により上記発電歯車を回転させ、当該発電歯車の回転により上記発電部の回転軸を回転させて発電し、
上記ぜんまい歯車のぜんまいの力が消耗し、当該ぜんまい歯車の回転が停止した際は、フライホイールを備えた発電歯車の惰性の回転により上記発電遊走歯車に回転がかけられて当該発電遊走歯車は上方へ移動し、
上記水平軸に設けられた上記ぜんまい歯車と小板体を挟む前後のばねの付勢により、当該ぜんまい歯車と小板体を、当該ぜんまい歯車がぜんまいを巻き始める位置に戻し、水平軸上の小板体が当該位置に戻ったので、この小板体に緊張してその一端が固着された線条体が引っ張られて、駆動遊走歯車の回転軸を引っ張って元に戻し、駆動遊走歯車を、ぜんまい歯車及び一方向回転歯車と噛み合う位置に戻すものとし、これらの作用により発電を行うことを特徴とした、簡易発電機。
【請求項４】
ケース内に、動力部、各種歯車及び発電部を設けて成り、立設した上記ケース内において、
上記動力部として、一部に錘を設けた双方向回転する振り子歯車を立設し、当該振り子歯車の下側の円弧に沿った略扇形状の軸受を当該振り子歯車の前後に設け、当該二つの各軸受内を一端から他端に移動及び回転自在な軸に、上記振り子歯車と常時噛み合った双方向回転する遊走歯車を設け、当該遊走歯車と同軸に双方向回転する第１回転歯車を固定し、
ぜんまいの一端を自体に固着し、他端を上記ケースの内壁に固着して一定数回転すると逆回転するぜんまいを備えたぜんまい歯車を設け、当該ぜんまい歯車に対して、一定距離移動自在にさせることにより噛み合わせ及び開放自在な駆動遊走歯車を設け、当該駆動遊走歯車と噛み合って、一方向回転する第２回転歯車を設け、
上記遊走歯車の略扇型の軸受の一端に当該遊走歯車の軸が位置する時、当該遊走歯車と同軸に設けた第１回転歯車は、上記第２回転歯車と噛み合う位置とし、上記遊走歯車の略扇型の軸受の他端に当該遊走歯車の軸が位置する時、当該遊走歯車と同軸に設けた第１回転歯車は、一方向回転する第３回転歯車を介して、上記第２回転歯車と噛み合う位置とし、
上記ぜんまい歯車の回転軸の一側に、外周に螺旋状の溝を穿った一定長の筒体を当該ぜんまい歯車と一体に設け、当該筒体を介して上記ぜんまい歯車を、突起を設けた水平軸により軸支し、当該ぜんまい歯車は上記突起を設けた水平軸上を上記螺旋状の溝を穿った筒体を介して回転することにより、当該水平軸上を往復移動自在に設け、
当該ぜんまい歯車の他側面に引き上げ突起を設け、上記水平軸上であって、当該ぜんまい歯車の他側に当該ぜんまい歯車とは別に、通常は下方に位置するハンマーを回転自在に設け、
上記水平軸上に、当該ぜんまい歯車と一体に設けた筒体に隣接して小板体を軸支して設け、
上記水平軸上に、当該ぜんまい歯車に動力がかかっていない時に、付勢により当該ぜんまい歯車と小板体を移動させて当該ぜんまい歯車がぜんまいを巻き始める位置に移動するばねを当該ぜんまい歯車と小板体を挟んでこれらの前後に設け、
上記小板体に、一端を固着し、他端を上記駆動遊走歯車の回転軸に固着した線状体を緊張して設け、
上記水平軸に回転自在にハンマーが落下する下方の軌道上の位置に、通常はばねにより一方向に付勢されている一定幅正逆回転自在な略Ｌ型の回転板を設け、当該回転板の他端には作用棒の一端を固着し、作用棒の他端は上記駆動遊走歯車の回転軸に固着して設け、
上記ぜんまい歯車の逆回転にのみ噛み合って回転する、略上下方向に一定距離往復移動して当該ぜんまい歯車と噛み合わせ又は開放自在な発電遊走歯車を設け、
当該発電遊走歯車に噛み合うフライホイールを備えた一方向回転する発電歯車を設け、当該発電歯車に対して、上記発電遊走歯車を自体の往復移動により噛み合わせ又は開放自在に軸支し、上記発電歯車と同軸の発電部を設け、
上記ケースに伝わる外部からの振動により、上記振り子歯車を振幅運動させ、当該振り子歯車の振幅運動により上記遊走歯車を回転させて、当該遊走歯車の軸を略扇型の軸受の一端又は他端に移動させ、当該遊走歯車が軸受の一端又は他端の位置で回転することにより、当該遊走歯車と同軸に設けた上記第１回転歯車を回転させ、当該第１回転歯車の回転により上記第２回転歯車を回転させ、又は第３回転歯車を介して上記第２回転歯車を回転させ、
当該第２回転歯車の回転により上記駆動遊走歯車を介して上記ぜんまい歯車を回転させ、当該ぜんまい歯車の回転により当該ぜんまい歯車のぜんまいを巻き、この時上記発電遊走歯車には、当該ぜんまい歯車の回転により、上記発電歯車を下方から引き上げる回転がかかるが、当該発電歯車は上方へ移動して回転が伝わらず、
上記回転するぜんまい歯車に設けた引き上げ突起により上記ハンマーを係止して引き上げ、当該ハンマーを回転軌道の頂部まで上げた後、ハンマー自体の自重により上記回転板の一端に落下させて当該回転板を回転させ、当該回転板の回転により上記作用棒を押して上記駆動遊走歯車の回転軸を移動させて、上記ぜんまい歯車を当該駆動遊走歯車との噛み合わせから開放し、当該ぜんまい歯車の駆動遊走歯車からの噛み合わせの開放により、巻かれて力を蓄えたぜんまいによりぜんまい歯車を逆回転させ、
当該ぜんまい歯車の逆回転により上記発電遊走歯車を一方向に回転させ、当該発電遊走歯車の回転により上記発電歯車を回転させ、当該発電歯車の回転により上記発電部の回転軸を回転させて発電し、
上記ぜんまい歯車のぜんまいの力が消耗し、当該ぜんまい歯車の回転が停止した際は、フライホイールを備えた発電歯車の惰性の回転により上記発電遊走歯車に回転がかけられて当該発電遊走歯車は上方へ移動し、
上記水平軸に設けられた上記ぜんまい歯車と小板体を挟む前後のばねの付勢のバランスにより、当該ぜんまい歯車と小板体を、当該ぜんまい歯車がぜんまいを巻き始める位置に戻し、水平軸上の小板体が当該位置に戻ったので、当該小板体に緊張してその一端が固着された線条体が引っ張られて、上記駆動遊走歯車の回転軸を引っ張って元に戻し、当該駆動遊走歯車を、上記ぜんまい歯車及び上記第２回転歯車と噛み合う位置に戻すものとし、これらの作用により発電を行うことを特徴とした、簡易発電機。
【発明の詳細な説明】
【０００１】
【発明の属する技術分野】
この発明は、携帯電話などの電池の充電に用いる、人間の歩行や動作による振動で発電する簡易発電機に関するものである。
【０００２】
【従来の技術】
携帯電話やゲーム機などが急速に小型軽量化されて、街中をはじめ様々な場所で常時携行する人が多く見られる。この様な状態は、使用する人にとって多くの利便性や楽しみを与え、今後さらに進展していくものと思われる。
そしてこれらの製品は、周知の如く電気製品であり、その電源は、充電用電池や商用電源となっており、電力を消耗したときには、随時電池の充電等が行われている。
【０００３】
【発明が解決しようとする課題】
しかしながら、山中や郊外などで充電したくとも、近くに商用電源がなくて出来ないことがある。また携帯電話で緊急時において電力切れなどで外部と連絡がとれないと、大きな事故を招くこともある。
【０００４】
そこでこの発明は、携帯電話などの電源の充電用として、使用する人の歩行や動作などによる振動で発電する簡易発電機を提供して上記課題を解決するものである。
【０００５】
【課題を解決するための手段】
請求項１の発明は、ケース内に、動力部、各種歯車及び発電部を設けて成り、立設した上記ケース内において、上記動力部として、外部から伝わる振動により作用する動力部を設け、当該動力部と一方向回転の回転歯車を噛み合わせて設け、当該回転歯車と一方向回転の駆動遊走歯車を噛み合わせて又は同軸に設け、当該駆動遊走歯車とぜんまいを設けた双方向回転のぜんまい歯車を噛み合わせて設け、当該ぜんまい歯車と当該ぜんまい歯車の逆回転にのみ噛み合って回転する発電遊走歯車を設け、当該発電遊走歯車と上記発電部の回転軸と同軸に設けた一方向回転の発電歯車を噛み合わせて設け、上記駆動遊走歯車及び発電遊走歯車は、噛み合った他の歯車とは開放自在に設けている。
【０００６】
またケースに伝わる外部からの振動により上記動力部を作動させて、上記回転歯車を回転させ、当該回転歯車の回転により上記駆動遊走歯車を回転させ、当該駆動遊走歯車の回転により上記ぜんまい歯車を回転させ、当該ぜんまい歯車の回転により当該ぜんまい歯車に設けたぜんまいを巻き、当該ぜんまいがいっぱいに巻かれた際、上記駆動遊走歯車の、当該ぜんまい歯車及び上記回転歯車との噛み合わせが開放されて、巻かれて力を蓄えたぜんまいによりぜんまい歯車を逆回転させている。
【０００７】
さらに当該ぜんまい歯車の逆回転により上記発電遊走歯車を回転させ、当該発電遊走歯車の回転により上記発電歯車を回転させ、当該発電歯車の回転により上記発電部の回転軸を回転させて発電し、ぜんまいの回転する力が消耗し、上記ぜんまい歯車の逆回転が停止した際、上記発電遊走歯車が噛み合っていた上記発電歯車から開放され、同時に上記駆動遊走歯車は、上記回転歯車及びぜんまい歯車と噛み合い、再度上記動力部による回転を上記ぜんまい歯車に伝達する簡易発電機とした。
【０００８】
請求項２の発明は、ケース内に、動力部、各種歯車及び発電部を設けて成り、立設した上記ケース内において、上記動力部として、一端に振り子部を設け、他端に略コ字型で歯車の歯部を係止自在な係止部を設けた一定幅振幅運動自在な杆体を上記振り子部を下にして垂直に軸支し、当該杆体の係止部により歯部が係止されて一方向回転する回転歯車を垂直に軸支し、当該回転歯車と噛み合って又は同軸で一方回転する駆動遊走歯車を設け、ぜんまいの一端を自体に固着し、他端を上記ケースの内壁に固着して一定数回転すると逆回転するぜんまいを備えたぜんまい歯車を設けている。
【０００９】
また当該ぜんまい歯車に対して、上記駆動遊走歯車を、当該駆動遊走歯車の回転軸を一定距離移動させることにより噛み合わせ又は開放自在に設け、上記ぜんまい歯車の回転軸の一側に、外周に螺旋状の溝を穿った一定長の筒体を当該ぜんまい歯車と一体に設け、当該筒体を介して上記ぜんまい歯車を、突起を設けた水平軸により軸支し、当該ぜんまい歯車は上記突起を設けた水平軸上を上記螺旋状の溝を穿った筒体を介して回転することにより、当該水平軸上を往復移動自在に設けている。
【００１０】
当該ぜんまい歯車の他側面に突起を設け、上記水平軸上であって、当該ぜんまい歯車の他側に当該ぜんまい歯車とは別に、通常は下方に位置するハンマーを回転自在に設け、上記水平軸上に、当該ぜんまい歯車と一体に設けた筒体に隣接して小板体を軸支して設け、上記水平軸上に、当該ぜんまい歯車に動力がかかっていない時に、付勢により当該ぜんまい歯車と小板体を移動させて当該ぜんまい歯車がぜんまいを巻き始める位置に移動するばねを当該ぜんまい歯車と小板体を挟んでこれらの前後に設け、上記小板体に、一端を固着し、他端を上記駆動遊走歯車の回転軸に固着した線状体を緊張して設けている。
【００１１】
さらに上記水平軸に回転自在にハンマーが落下する下方の軌道上の位置に、通常はばねにより一方向に付勢されている一定幅正逆回転自在な略Ｌ型の回転板を設け、当該回転板の他端には作用棒の一端を固着し、作用棒の他端は上記駆動遊走歯車の回転軸に固着して設け、上記ぜんまい歯車の逆回転にのみ噛み合って回転する、略上下方向に一定距離往復移動して当該ぜんまい歯車と噛み合わせ又は開放自在な発電遊走歯車を設け、当該発電遊走歯車に噛み合うフライホイールを備えた一方向回転する発電歯車を設け、当該発電歯車に対して、上記発電遊走歯車を自体の往復移動により噛み合わせ又は開放自在に軸支し、上記発電歯車と同軸の発電部を設けている。
【００１２】
上記ケースに伝わる外部からの振動により、上記杆体の振り子部を振幅運動させ、当該杆体の振り子部の振幅運動により当該杆体の係止部を振幅運動させ、当該杆体の振幅運動する係止部により上記一方向回転歯車をその歯部を順次係止して回転させ、当該一方向回転歯車の回転により上記駆動遊走歯車を回転させ、当該駆動遊走歯車の回転により上記ぜんまい歯車を回転させ、当該ぜんまい歯車の回転により当該ぜんまい歯車のぜんまいを巻き、この時上記発電遊走歯車には、当該ぜんまい歯車の回転により、上記発電歯車を下方から引き上げる回転がかかるが、当該発電歯車は上方へ移動して回転が伝わらない。
【００１３】
上記回転するぜんまい歯車に設けた突起により上記ハンマーを係止して引き上げ、当該ハンマーを回転軌道の頂部まで上げた後、ハンマー自体の自重により上記回転板の一端に落下させて当該回転板を回転させ、当該回転板の回転により上記作用棒を押して上記駆動遊走歯車の回転軸を移動させて、上記ぜんまい歯車を当該駆動遊走歯車及び上記一方向回転歯車との噛み合わせから開放し、当該ぜんまい歯車の駆動遊走歯車からの噛み合わせの開放により、巻かれて力を蓄えたぜんまいによりぜんまい歯車を逆回転させ、当該ぜんまい歯車の逆回転により上記発電遊走歯車を一方向に回転させ、当該発電遊走歯車の回転により上記発電歯車を回転させ、当該発電歯車の回転により上記発電部の回転軸を回転させて発電する。
【００１４】
上記ぜんまい歯車のぜんまいの力が消耗し、当該ぜんまい歯車の回転が停止した際は、フライホイールを備えた発電歯車の惰性の回転により上記発電遊走歯車に回転がかけられて当該発電遊走歯車は上方へ移動し、上記水平軸に設けられた上記ぜんまい歯車と小板体を挟む前後のばねの付勢のバランスにより、当該ぜんまい歯車と小板体を、当該ぜんまい歯車がぜんまいを巻き始める位置に戻し、水平軸上の小板体が当該位置に戻ったので、この小板体に緊張してその一端が固着された線条体が引っ張られて、駆動遊走歯車の回転軸を引っ張って元に戻し、駆動遊走歯車を、ぜんまい歯車及び一方向回転歯車と噛み合う位置に戻すものとし、これらの作用により発電を行う簡易発電機とした。
【００１５】
請求項３の発明は、ケース内に、動力部、各種歯車及び発電部を設けて成り、立設した上記ケース内において、上記動力部として、一端に振り子部を設け、他端に略コ字型で歯車の歯部を係止自在な係止部を設けた一定幅振幅運動自在な杆体を上記振り子部を下にして垂直に軸支し、当該杆体の係止部により歯部が係止されて一方向回転する回転歯車を垂直に軸支し、当該回転歯車と噛み合って又は同軸で一方回転する駆動遊走歯車を設け、ぜんまいの一端を自体に固着し、他端を上記ケースの内壁に固着して一定数回転すると逆回転するぜんまいを備えたぜんまい歯車を設けている。
【００１６】
また当該ぜんまい歯車に対して、上記駆動遊走歯車を、当該駆動遊走歯車の回転軸を一定距離移動させることにより噛み合わせ又は開放自在に設け、上記ぜんまい歯車の回転軸の一側に、外周に螺旋状の溝を穿った一定長の筒体を当該ぜんまい歯車と一体に設け、当該筒体を介して上記ぜんまい歯車を、突起を設けた水平軸により軸支し、当該ぜんまい歯車は上記突起を設けた水平軸上を上記螺旋状の溝を穿った筒体を介して回転することにより、当該水平軸上を往復移動自在に設けている。
【００１７】
当該ぜんまい歯車の他側面に引き上げ突起を設け、上記ケース内において上記引き上げ突起を設けた側の内壁に板ばねの一端を固定して可弾自在に設け、上記水平軸上に、当該ぜんまい歯車と一体に設けた筒体に隣接して小板体を軸支して設け、上記水平軸上に、当該ぜんまい歯車に動力がかかっていない時に、付勢により当該ぜんまい歯車と小板体を移動させて当該ぜんまい歯車がぜんまいを巻き始める位置に移動するばねを当該ぜんまい歯車と小板体を挟んでこれらの前後に設け、上記小板体に、一端を固着し、他端を上記駆動遊走歯車の回転軸に固着した線状体を緊張して設けている。
【００１８】
さらに上記駆動遊走歯車の回転軸に作用棒の一端を固着し、当該作用棒の他端は上記板ばねが弾んで接触する位置に設置し、上記ぜんまい歯車の逆回転にのみ噛み合って回転する、略上下方向に一定距離往復移動して当該ぜんまい歯車と噛み合わせ又は開放自在な発電遊走歯車を設け、当該発電遊走歯車に噛み合うフライホイールを備えた一方向回転する発電歯車を設け、当該発電歯車に対して、上記発電遊走歯車を自体の往復移動により噛み合わせ又は開放自在に軸支し、上記発電歯車と同軸の発電部を設けている。
【００１９】
上記ケースに伝わる外部からの振動により、上記杆体の振り子部を振幅運動させ、当該杆体の振り子部の振幅運動により当該杆体の係止部を振幅運動させ、当該杆体の振幅運動する係止部により上記一方向回転歯車をその歯部を順次係止して回転させ、当該一方向回転歯車の回転により上記駆動遊走歯車を回転させ、当該駆動遊走歯車の回転により上記ぜんまい歯車を回転させ、当該ぜんまい歯車の回転により当該ぜんまい歯車のぜんまいを巻き、この時上記発電遊走歯車には、当該ぜんまい歯車の回転により、上記発電歯車を下方から引き上げる回転がかかるが、当該発電歯車は上方へ移動して回転が伝わらない。
【００２０】
上記回転するぜんまい歯車に設けた引き上げ突起により上記板ばねを押圧して反らせて力をため、当該引き上げ突起が板ばねを離れた後板ばねが定位置に戻ろうとする弾性の力により上記作用棒を押して上記駆動遊走歯車の回転軸を移動させて、上記ぜんまい歯車を当該駆動遊走歯車及び上記一方向回転歯車との噛み合わせから開放し、当該ぜんまい歯車の駆動遊走歯車からの噛み合わせの開放により、巻かれて力を蓄えたぜんまいによりぜんまい歯車を逆回転させ、当該ぜんまい歯車の逆回転により上記発電遊走歯車を一方向に回転させ、当該発電遊走歯車の回転により上記発電歯車を回転させ、当該発電歯車の回転により上記発電部の回転軸を回転させて発電する。
【００２１】
上記ぜんまい歯車のぜんまいの力が消耗し、当該ぜんまい歯車の回転が停止した際は、フライホイールを備えた発電歯車の惰性の回転により上記発電遊走歯車に回転がかけられて当該発電遊走歯車は上方へ移動し、上記水平軸に設けられた上記ぜんまい歯車と小板体を挟む前後のばねの付勢により、当該ぜんまい歯車と小板体を、当該ぜんまい歯車がぜんまいを巻き始める位置に戻し、水平軸上の小板体が当該位置に戻ったので、この小板体に緊張してその一端が固着された線条体が引っ張られて、駆動遊走歯車の回転軸を引っ張って元に戻し、駆動遊走歯車を、ぜんまい歯車及び一方向回転歯車と噛み合う位置に戻すものとし、これらの作用により発電を行う簡易発電機とした。
【００２２】
請求項４の発明は、ケース内に、動力部、各種歯車及び発電部を設けて成り、立設した上記ケース内において、上記動力部として、一部に錘を設けた双方向回転する振り子歯車を立設し、当該振り子歯車の下側の円弧に沿った略扇形状の軸受を当該振り子歯車の前後に設け、当該二つの各軸受内を一端から他端に移動及び回転自在な軸に、上記振り子歯車と常時噛み合った双方向回転する遊走歯車を設け、当該遊走歯車と同軸に双方向回転する第１回転歯車を固定している。
【００２３】
ぜんまいの一端を自体に固着し、他端を上記ケースの内壁に固着して一定数回転すると逆回転するぜんまいを備えたぜんまい歯車を設け、当該ぜんまい歯車に対して、一定距離移動自在にさせることにより噛み合わせ及び開放自在な駆動遊走歯車を設け、当該駆動遊走歯車と噛み合って、一方向回転する第２回転歯車を設け、上記遊走歯車の略扇型の軸受の一端に当該遊走歯車の軸が位置する時、当該遊走歯車と同軸に設けた第１回転歯車は、上記第２回転歯車と噛み合う位置とし、上記遊走歯車の略扇型の軸受の他端に当該遊走歯車の軸が位置する時、当該遊走歯車と同軸に設けた第１回転歯車は、一方向回転する第３回転歯車を介して、上記第２回転歯車と噛み合う位置としている。
【００２４】
上記ぜんまい歯車の回転軸の一側に、外周に螺旋状の溝を穿った一定長の筒体を当該ぜんまい歯車と一体に設け、当該筒体を介して上記ぜんまい歯車を、突起を設けた水平軸により軸支し、当該ぜんまい歯車は上記突起を設けた水平軸上を上記螺旋状の溝を穿った筒体を介して回転することにより、当該水平軸上を往復移動自在に設けている。
【００２５】
当該ぜんまい歯車の他側面に引き上げ突起を設け、上記水平軸上であって、当該ぜんまい歯車の他側に当該ぜんまい歯車とは別に、通常は下方に位置するハンマーを回転自在に設け、上記水平軸上に、当該ぜんまい歯車と一体に設けた筒体に隣接して小板体を軸支して設け、上記水平軸上に、当該ぜんまい歯車に動力がかかっていない時に、付勢により当該ぜんまい歯車と小板体を移動させて当該ぜんまい歯車がぜんまいを巻き始める位置に移動するばねを当該ぜんまい歯車と小板体を挟んでこれらの前後に設け、上記小板体に、一端を固着し、他端を上記駆動遊走歯車の回転軸に固着した線状体を緊張して設けている。
【００２６】
上記水平軸に回転自在にハンマーが落下する下方の軌道上の位置に、通常はばねにより一方向に付勢されている一定幅正逆回転自在な略Ｌ型の回転板を設け、当該回転板の他端には作用棒の一端を固着し、作用棒の他端は上記駆動遊走歯車の回転軸に固着して設け、上記ぜんまい歯車の逆回転にのみ噛み合って回転する、略上下方向に一定距離往復移動して当該ぜんまい歯車と噛み合わせ又は開放自在な発電遊走歯車を設け、当該発電遊走歯車に噛み合うフライホイールを備えた一方向回転する発電歯車を設け、当該発電歯車に対して、上記発電遊走歯車を自体の往復移動により噛み合わせ又は開放自在に軸支し、上記発電歯車と同軸の発電部を設けている。
【００２７】
上記ケースに伝わる外部からの振動により、上記振り子歯車を振幅運動させ、当該振り子歯車の振幅運動により上記遊走歯車を回転させて、当該遊走歯車の軸を略扇型の軸受の一端又は他端に移動させ、当該遊走歯車が軸受の一端又は他端の位置で回転することにより、当該遊走歯車と同軸に設けた上記第１回転歯車を回転させ、当該第１回転歯車の回転により上記第２回転歯車を回転させ、又は第３回転歯車を介して上記第２回転歯車を回転させ、当該第２回転歯車の回転により上記駆動遊走歯車を介して上記ぜんまい歯車を回転させ、当該ぜんまい歯車の回転により当該ぜんまい歯車のぜんまいを巻き、この時上記発電遊走歯車には、当該ぜんまい歯車の回転により、上記発電歯車を下方から引き上げる回転がかかるが、当該発電歯車は上方へ移動して回転が伝わらない。
【００２８】
上記回転するぜんまい歯車に設けた引き上げ突起により上記ハンマーを係止して引き上げ、当該ハンマーを回転軌道の頂部まで上げた後、ハンマー自体の自重により上記回転板の一端に落下させて当該回転板を回転させ、当該回転板の回転により上記作用棒を押して上記駆動遊走歯車の回転軸を移動させて、上記ぜんまい歯車を当該駆動遊走歯車との噛み合わせから開放し、当該ぜんまい歯車の駆動遊走歯車からの噛み合わせの開放により、巻かれて力を蓄えたぜんまいによりぜんまい歯車を逆回転させ、当該ぜんまい歯車の逆回転により上記発電遊走歯車を一方向に回転させ、当該発電遊走歯車の回転により上記発電歯車を回転させ、当該発電歯車の回転により上記発電部の回転軸を回転させて発電する。
【００２９】
上記ぜんまい歯車のぜんまいの力が消耗し、当該ぜんまい歯車の回転が停止した際は、フライホイールを備えた発電歯車の惰性の回転により上記発電遊走歯車に回転がかけられて当該発電遊走歯車は上方へ移動し、上記水平軸に設けられた上記ぜんまい歯車と小板体を挟む前後のばねの付勢のバランスにより、当該ぜんまい歯車と小板体を、当該ぜんまい歯車がぜんまいを巻き始める位置に戻し、水平軸上の小板体が当該位置に戻ったので、当該小板体に緊張してその一端が固着された線条体が引っ張られて、上記駆動遊走歯車の回転軸を引っ張って元に戻し、当該駆動遊走歯車を、上記ぜんまい歯車及び上記第２回転歯車と噛み合う位置に戻すものとし、これらの作用により発電を行う簡易発電機とした。
【００３０】
【実施の形態例】
次にこの発明の第１の実施の形態例を図に基づいて説明する。
この第１の実施の形態例の簡易発電機Ａは、図１に示すように、扁平な直方体のケース１内に、動力部、各種歯車及び発電部を設けて成る。まず立設した上記ケース１内において、動力部として、一端に振り子部２ａを設け、他端に略コ字型で歯車の歯部を係止自在な係止部２ｂを設けた一定幅振幅運動自在な杆体２を設け、この杆体２を上記振り子部２ａを下にして略中央部を軸２ｃで軸支している。またこの杆体２の係止部２ｂにより歯部が係止されて一方向にのみ回転する回転歯車３を垂直に軸支しており、この回転歯車３と噛み合って一方向にのみ回転する駆動遊走歯車４を設けている。
【００３１】
またこの駆動遊走歯車４と、噛み合って回転するぜんまい歯車５を垂直に軸支して設けており、このぜんまい歯車５には、一端をこのぜんまい歯車５に固着し、他端を上記ケース１の内壁に固着したぜんまい５ａを設けている。ぜんまい歯車５を時計方向におよそ２回転するとこのぜんまい５ａの力で逆回転する構成に成っている。
【００３２】
上記ぜんまい歯車５に対して、上記駆動遊走歯車４は、この駆動遊走歯車４の回転軸４ａの一端部を中心におよそ５ｍｍ、上記ケース１の中心部から外側に回動させることにより噛み合わせ又は開放自在に設けている。
図２（回転歯車３の記載省略）乃至図６（回転歯車３及び駆動遊走歯車４の記載省略）に示すように、ぜんまい歯車５の軸部５ｂの右側に、螺旋状の溝６ａを外周に穿った一定長の筒体６の一端をぜんまい歯車５の一側に一体に固定している。
【００３３】
この筒体６及びぜんまい歯車５を、上記ケース１に対して水平に設けた水平軸７により軸支しており、この水平軸７にはさらに垂直な突起７ａを設けており、この突起７ａは、ぜんまい５ａを巻き始める時には、筒体６の螺旋状の溝６ａ内の最もぜんまい歯車５に近い位置にある。ぜんまい歯車５は突起７ａを設けた水平軸７上を上記螺旋状の溝６ａを穿った筒体６とともに回転することにより、当該水平軸７に沿って往復移動自在となっている。
【００３４】
このぜんまい歯車５の他側面には、引き上げ突起５ｃを設けている。水平軸７上であって、このぜんまい歯車５の左側にこのぜんまい歯車５とは別に、通常は下方に位置するハンマー８を回転自在に設けている。さらに上記水平軸７上に、ぜんまい歯車５と一体に設けた筒体６に隣接して楕円形状の小板体９を回転自在に設けている。
【００３５】
駆動遊走歯車４又はぜんまい５ａから、ぜんまい歯車５に動力がかかっていない時に、付勢によりぜんまい歯車５と小板体９を移動させて、ぜんまい歯車５がぜんまい５ａを巻き始める位置に移動させるばね１０，１０を、水平軸７上に、ぜんまい歯車５と小板体９を挟んでこれらの前後に設けている。これにより小板体９は、ぜんまい歯車５により押されない場合には、ばね１０，１０により付勢されて水平軸７上を移動する。
【００３６】
図７に示すように、小板体９に、その一端を固着し、他端を上記駆動遊走歯車４の回転軸４ａに固着したひも１１を緊張して設けている。また、水平軸７に回転自在に設けたハンマー８が落下する下方の軌道上の位置に、通常はばね（図示省略）により一方向に付勢されている一定幅正逆回転自在な略Ｌ型の回転板１２を設けており、この回転板１２の他端にはまっすぐな作用棒１３の一端を固着し、作用棒１３の他端は上記駆動遊走歯車４の回転軸４ａに固着している。
【００３７】
さらにぜんまい歯車５の逆回転にのみ噛みあって回転する発電遊走歯車１４を設けている。この発電遊走歯車１４は、図８に示すように、上下方向に５ｍｍ往復移動するように両側の軸受１４ａを楕円形状に設けており、通常この発電遊走歯車１４の回転軸は、楕円形状の軸受１４ａ内の下位にある。これにより、この発電遊走歯車１４は、ぜんまい歯車５と噛み合わせ又は開放自在となっている。
【００３８】
またこの発電遊走歯車１４に噛み合って回転する発電歯車１５を設けており、この発電歯車１５は、フライホイール（図示省略）を備えている。この発電歯車１５に対しても、上記発電遊走歯車１４は自体の上下方向の往復移動により噛み合わせ又は開放自在となっており、さらに発電歯車１５には、同軸１５ａの発電部１６を設けている。
【００３９】
次に、この簡易発電機Ａを使って発電する手順を説明する。
この簡易発電機Ａを所持した人間が歩くと、歩くことにより生じる振動がケース１に伝わり、上記杆体２の振り子部２ａが振幅運動する。この杆体２の振り子部２ａの振幅運動によりこの杆体２の係止部２ｂが振幅運動し、この杆体２の振幅運動する係止部２ｂにより上記回転歯車３の歯部を順次係止して、図１において時計方向に回転させる。
【００４０】
この回転歯車３の回転により上記駆動遊走歯車４を図１において反時計方向に回転させ、この駆動遊走歯車４の回転により上記ぜんまい歯車５を図１において時計方向に回転させ、このぜんまい歯車５を略２回転することにより、このぜんまい歯車５のぜんまい５ａを限界まで巻く。この時図２乃至図６に示すように、ぜんまい歯車５は、最初水平軸７上の略中央の位置にあるが、回転するに従って、ぜんまい歯車５と一体に設けた筒体６に設けられた螺旋状の溝６が水平軸７の突起７ａにより移動するので、これによりぜんまい歯車５は左側に移動する。
【００４１】
上記発電遊走歯車１４には、このぜんまい歯車５の図１における時計方向の回転により、上記発電遊走歯車１４を下方から上へ上げる回転が伝わろうとするが、発電遊走歯車１４は、時計方向にのみ回転可能であるので、ぜんまい歯車５により回転がかけられても回転できず、また発電遊走歯車１４自体が上記軸受１４ａの楕円溝のために、上方に移動してぜんまい歯車５の回転が伝わることはない。
【００４２】
さらに、図１において時計方向に回転するぜんまい歯車５に設けた引き上げ突起５ｃにより、図３乃至図６に示すように、下方の回転軌道上にあるハンマー８を係止して（図４参照）引き上げ、このハンマー８を回転軌道上の頂部まで引き上げた後（図５参照）、ハンマー８自体の自重により上記回転板１２の一端１２ａに落下させてこの回転板１２ａを回転させる（図６参照）。
【００４３】
この回転板１２の回転により上記作用棒１３を作用させ、この作用棒１３により上記駆動遊走歯車４の回転軸４ａを押してこの回転軸４ａの一端部を中心におよそ５ｍｍ横に回動させて、上記ぜんまい歯車５をこの駆動遊走歯車４との噛み合わせから開放し、上記ぜんまい歯車５の駆動遊走歯車４からの噛み合わせの開放により、巻かれて力を蓄えたぜんまい５ａによりぜんまい歯車５を逆回転させる。この時同時に駆動遊走歯車４は、上記回転歯車３との噛み合わせからも開放される。
【００４４】
このぜんまい歯車５の逆回転により上記発電遊走歯車１４を回転させる。これは図１においてぜんまい歯車５が反時計方向に回転し、発電遊走歯車１４は時計方向の回転となり、自身を下方へ押し付ける回転となり、この発電遊走歯車１４の回転により上記発電歯車１５を回転させ、当該発電歯車１５の回転により上記発電部１６の回転軸を回転させて発電する。
【００４５】
この後、ぜんまい歯車５のぜんまい５ａの力が消耗し、このぜんまい歯車５の回転が停止した後は、フライホイールを備えた発電歯車１５の惰性の回転により上記発電遊走歯車１４に回転がかけられると、もはやぜんまい歯車５により下方に抑えられる力がかからないので、発電遊走歯車１４が上方へ移動する。
【００４６】
また上記水平軸７に設けられた上記ぜんまい歯車５と小板体９を挟む前後のばね１０，１０の付勢、及びぜんまい歯車５と一体に設けられた筒体６の螺旋状の溝６ａ内に水平軸７の突起７ａが入っている為、ぜんまい歯車５の逆回転により、ぜんまい歯車５と小板体９は、このぜんまい歯車５を、ぜんまい５ａを巻き始める位置に戻される。また水平軸７上の小板体９が当所の位置に戻ったので、この小板体９に緊張してその一端が固着されたひも１１が引っ張られて、駆動遊走歯車４を軸支している回転軸４ａを引っ張り、駆動遊走歯車４がぜんまい歯車５と噛み合う位置に戻る。
以上の作用により発電が行われる。
【００４７】
次にこの発明の第２の実施の形態例について図に基づいて説明する。
この第２の実施の形態例は、基本的な構成としては、上記第１の実施の形態例と同様であり、異なる構成についてのみ説明する。上記第１の実施の形態例では、回転歯車３と駆動遊走歯車４とを噛み合わせて設けているが、ここでは、図９に示すように、同軸に設けている。この場合、ハンマー８の落下による作用棒１３の移動により、回転軸４ａは、軸方向（図９における矢印方向）に移動して、ぜんまい歯車５との噛み合いを解除するものとしている。
【００４８】
さらにこの発明の第３の実施の形態例について図に基づいて説明する。
この第３の実施の形態例は、基本的な構成としては、上記第１の実施の形態例と同様であり、異なる構成についてのみ説明する。上記第１の実施の形態例では、上記ぜんまい歯車５を駆動遊走歯車４との噛み合わせから開放するのに、ハンマー８を回転板１２上に落下させて作動棒１３により上記駆動遊走歯車４の回転軸４ａを押して行っている。
【００４９】
しかし、これらのハンマー８及び回転板１２に代えて、この第３の実施の形態例では、図１０乃至図１４に示すように、ケース１内の一側壁に一端を固定した突出軸１７ｂに下端を固定した板ばね１７を設け、この板ばね１７の弾性を有する上部１７ａを、ぜんまい歯車５が回転することによりぜんまい歯車５の引き上げ突起５ｃにより押圧し反らせて力をため、引き上げ突起５が板ばね１７の上部１７ａを離れた後、反動により板ばね１７の上部１７ａが定位置に戻ろうとして、作用棒１３を押圧する。これにより駆動遊走歯車４の回転軸４ａを回動させる構成としてもよい（図１１乃至図１４中１８は、反動で戻った板ばねを止める板ばね戻り止軸であると同時に上記作用棒１３を支持するものである）。
【００５０】
またこの発明の第４の実施の形態例について図に基づいて説明する。
この第４の実施の形態例は、基本的な構成としては、上記第１の実施の形態例と同様であり、異なる構成についてのみ説明する。上記第１の実施の形態例では、動力部として、一端に振り子部２ａを設け、他端に略コ字型で歯車の歯部を係止自在な係止部２ｂを設けた一定幅振幅運動自在な杆体２を設け、この杆体２を上記振り子部２ａを下にして略中央部を軸２ｃで軸支している。またこの杆体２の係止部２ｂにより歯部が係止されて一方向にのみ回転する第２回転歯車３ａを軸支している。
【００５１】
しかし、この第４の実施の形態例では、これらの杆体２、振り子部２ａ、係止部２ｂに代えて、図１５に示すように、動力部の振り子として、外部からの振動により回転する、円を三等分した表面の一部に錘２２を設けた振り子歯車２１を設け、この振り子歯車２１の外側に設けた歯部（図示省略）の一部に遊走歯車２３を、常時噛み合わせて設けている。この振り子歯車２１は、中心部２１ａを中心に左右に回転を反復する。
【００５２】
上記遊走歯車２３の二つの軸受２４は、図１６及び図１７に示すように、上記振り子歯車２１の前後であって、この振り子歯車２１の下側の外縁の円弧に沿った横長の略扇形状に設けており、また遊走歯車２３は振り子歯車２１と常時噛み合っているが、上記横長の略扇形状の軸受２４内を左右に移動及び回転自在となっている。また遊走歯車２３と同軸に双方向回転する第１回転歯車２５を設け、上記遊走歯車２３の回転軸２３ａが軸受２４の最も右端の位置に有る時、図１６に示すように、第１回転歯車２５と噛み合う位置に一方向回転する第２回転歯車３ａを設けており、図１７に示すように、上記遊走歯車２３の回転軸２３ａが軸受２４の最も左の位置に有る時、第１回転歯車２５と噛み合う位置に一方向回転する第３回転歯車２６を設け、さらにこの第３回転歯車２６は、上記第２回転歯車３ａと常に噛み合っている。
【００５３】
上記振り子歯車２１の時計方向又は反時計方向への回転の反復により、遊走歯車２３の回転軸２３ａは、上記略扇形状の軸受２４内を外部から伝わる一定のリズムで時計方向に又は逆方向に移動しながら、第２回転歯車３ａをおおよそ連続して一方向に回転させている。
【００５４】
詳述すると、図１６に示すように、振り子歯車２１が反時計方向に回転すると、この回転が遊走歯車２３に伝達されて遊走歯車２３の回転軸２３ａが軸受２４の右端に回転しながら押しやられた後、自身の回転を続けながら最右端に押しつけられ、遊走歯車２３は、それ以上右側へ移動出来ず、遊走歯車２３と同軸の第１回転歯車２５が第２回転歯車３ａと噛み合って、第１回転歯車２５の時計方向の回転が第２回転歯車３ａに伝わり、第２回転歯車３ａは反時計方向に回転する。また図１７に示すように、振り子歯車２１の時計方向の回転が遊走歯車２３に伝達されて遊走歯車２３の回転軸２３ａが軸受２４の左端に回転しながら押しやられた後、自身の回転を続けながら最左端に押しつけられ、遊走歯車２３は、それ以上左側へ移動出来ず、第１回転歯車２５が第３回転歯車２６と噛み合い、第１回転歯車２５の反時計方向の回転が第３回転歯車２６に伝わり、さらにこの第３回転歯車２６の時計方向の回転が第２回転歯車３ａに伝わり、第２回転歯車３ａは反時計方向に回転する。これにより第２回転歯車３ａは、外部から振動が伝達された場合、おおよそ連続して一方向に回転することになる（図１５乃至図１７における各矢印参照）。
【００５５】
またこの後第２回転歯車３ａの動力は、駆動遊走歯車４へ伝達され、さらにこの駆動遊走歯車４からぜんまい歯車５へ動力が伝達される。上記駆動遊走歯車４以降の構成については、上記１の実施の形態例における場合と同様である。
【００５６】
さらに上記第４の実施の形態例では、振り子歯車２１の外側に設けた歯部に遊走歯車２３を噛み合わせたが、図１８に示すように、上記振り子歯車２８の内側に表面から裏面に至る貫通部２８ａを設け、振り子歯車２８の内側、当該貫通部２８ａに振り子歯車２８の歯部（図示省略）を設け、これらの歯部と噛み合うように遊走歯車２３を振り子歯車２８の内側に設け、振り子歯車２８の動力を遊走歯車２３に伝える構成としても良い。
【００５７】
また図１９に示すように、上記振り子歯車２８と同様に設けた貫通部２９ｂを設けた振り子歯車２９の内側、中心部２９ａの外側に環状の歯部２９ｃを設け、この外側の歯部２９ｃと遊走歯車２３を噛み合うようにすることも出来る。さらに図２０に示すように、上記振り子歯車２８と同様に設けた貫通部３０ｂを設けた振り子歯車３０の内側、中心部３０ａの外側に環状の歯部３０ｃを設け、その内側で遊走歯車２３と噛み合うようにすることも出来る。
【００５８】
上記実施の形態例では、動力部や各種歯車を配置するのに扁平な直方体のケースを使用しているが、これらの部材を配置するのは、扁平なケースに限るものではない。またこの簡易発電機に与える振動として、人間が歩くことにより生じる振動を使用しているが、この簡易発電機に与える振動としては、これに限るものではなく、この簡易発電機に具えられた振り子部を振幅運動させる振動であれば、どの様なものでもよい。
【００５９】
さらに駆動遊走歯車４の回転軸４ａ及び発電遊走歯車１４が移動する距離として、５ｍｍという距離をあげているが、これらの距離は５ｍｍに限定するものではない。さらに駆動遊走歯車４をぜんまい歯車５との噛み合わせから解除するのに回転軸４ａの一端部を中心に回動させて行っているが、回転軸４ａを移動させる構成はこれに限るものではない。また発電遊走歯車１４をぜんまい歯車５との噛み合わせから解除するのに軸受１４ａを楕円形状に設けて行っているが、発電遊走歯車１４をぜんまい歯車５との噛み合わせから解除する構成はこれに限るものではない。さらに外部から伝わる振動により作用する動力部として、振り子部２ａ等や振り子歯車２１などの具体的な構成を記載しているが、動力部としては、これらに限定するものではなく、また振り子歯車２１としても、上記記載したものに限定するものではない。
【００６０】
【発明の効果】
請求項１乃至４の各発明によれば、各種歯車と発電機を組み合わせて簡易発電機をつくつたので、シンプルな構造でありながら、携帯電話等の電力を確実に得ることが出来る。またこの簡易発電機を作動させる動力としての振動は、動力部が作動する程度のものであれば何でも良く、極めて容易に携帯電話等の電力を得ることができる。
【００６１】
また請求項２の発明によれば、上記効果に加えて、動力部として、人間の動作や歩くことにより簡単に振動する振り子を使用し、一方向にのみ回転し、ぜんまい歯車と噛み合わせ又は開放自在な駆動遊走歯車、発電遊走歯車を使用しているので、より確実かつ容易に電力を得るための作用を行うことが出来る。さらに請求項３の発明によれば、より安定して確実にぜんまい歯車と駆動遊走歯車の噛み合わせの解除が出来、装置としての信頼性が高いものである。
【図面の簡単な説明】
【図１】この発明の第１の実施の形態例のケース内に配置した動力部、各種歯車及び発電部の説明図である。
【図２】この発明の第１の実施の形態例のケース内におけるぜんまい歯車がぜんまいを巻き始める状態の説明図である。
【図３】この発明の第１の実施の形態例のケース内におけるぜんまい歯車がぜんまいを巻き終わった状態の説明図である。
【図４】この発明の第１の実施の形態例のケース内におけるぜんまい歯車がぜんまいを巻き終わり、ハンマーを引き上げる状態の説明図である。
【図５】この発明の第１の実施の形態例のケース内におけるぜんまい歯車がぜんまいを巻き終わり、ハンマーを引き上げて、当該ハンマーの回転軌道の頂部に至った状態の説明図である。
【図６】この発明の第１の実施の形態例のケース内におけるぜんまい歯車がぜんまいを巻き終わり、ハンマーを引き上げて、当該ハンマーの回転軌道の頂部に至った後、回転板上に落下した状態の説明図である。
【図７】この発明の第１の実施の形態例のハンマーが回転板に落下した後の回転板、作用棒、ひも及び小板体の接続関係を示す説明図である。
【図８】この発明の第１の実施の形態例の発電遊走歯車の回転軸が楕円形状の軸受によって、上下移動自在に支持された状態を示す説明図である。
【図９】この発明の第２の実施の形態例の回転歯車と駆動遊走歯車を同軸に設けた場合の一部説明図である。
【図１０】この発明の第３の実施の形態例であって、回転するぜんまい歯車の引き上げ突起が板ばねの上部と接触した状態を示す説明図である。
【図１１】上記図１０における拡大説明図である。
【図１２】この発明の第３の実施の形態例であって、回転するぜんまい歯車の引き上げ突起が板ばねの上部を押圧している状態を示す拡大説明図である。
【図１３】この発明の第３の実施の形態例であって、回転するぜんまい歯車の引き上げ突起が板ばねの上部をさらに押圧してそらした状態を示す拡大説明図である。
【図１４】この発明の第３の実施の形態例であって、回転するぜんまい歯車の引き上げ突起が板ばねの上部から離れ、反動により板ばねの上部が作用棒を押している状態を示す拡大説明図である。
【図１５】この発明の第４の実施の形態例の振り子歯車と遊走歯車を噛み合わせた状態の説明図である。
【図１６】この発明の第４の実施の形態例であって、自身の軸受の最右端にある遊走歯車と同軸に設けた第１回転歯車により、第２回転歯車が回転する状態を示す説明図である。
【図１７】この発明の第４の実施の形態例であって、自身の軸受の最左端にある遊走歯車と同軸に設けた第１回転歯車により、第２回転歯車が回転する状態を示す説明図である。
【図１８】この発明の第４の実施の形態例における他の実施の形態例であって、振り子歯車と遊走歯車を噛み合わせた状態の説明図である。
【図１９】この発明の第４の実施の形態例における他の実施の形態例であって、振り子歯車と遊走歯車を噛み合わせた状態の説明図である。
【図２０】この発明の第４の実施の形態例における他の実施の形態例であって、振り子歯車と遊走歯車を噛み合わせた状態の説明図である。
【符号の説明】
１    ケース                      ２    杆体
２ｂ  係止部                      ３    一方向回転歯車
４    駆動遊走歯車                ４ａ  回転軸
５    ぜんまい歯車                ５ａ  ぜんまい
６    筒体                        ６ａ  螺旋状の溝
７    水平軸                      ７ａ  突起
８    ハンマー                    ９    小板体
１０    ばね                      １１    ひも
１２    回転板                    １３    作用棒
１４    発電遊走歯車              １５    発電歯車
１６    発電部                    １７    板ばね
【図１】
2004239244.tif 000003
【図２】
2004239244.tif 000004
【図３】
2004239244.tif 000005
【図４】
2004239244.tif 000006
【図５】
2004239244.tif 000007
【図６】
2004239244.tif 000008
【図７】
2004239244.tif 000009
【図８】
2004239244.tif 000010
【図９】
2004239244.tif 000011
【図１０】
2004239244.tif 000012
【図１１】
2004239244.tif 000013
【図１２】
2004239244.tif 000014
【図１３】
2004239244.tif 000015
【図１４】
2004239244.tif 000016
【図１５】
2004239244.tif 000017
【図１６】
2004239244.tif 000018
【図１７】
2004239244.tif 000019
【図１８】
2004239244.tif 000020
【図１９】
2004239244.tif 000021
【図２０】
2004239244.tif 000022